(57)【特許請求の範囲】
【請求項１】
上部が開口した箱状の本体ケースと、
前記本体ケースの上部開口を覆い、被加熱物を載置可能な天板部と、
前記天板部の下方に配設された加熱手段と、
前記天板部に設けられ、前記本体ケース内の部品を冷却するための冷却風を吸込みあるいは排出する第１の開口部と、
前記第１の開口部を覆う通気カバーを備えた加熱調理器において、
前記通気カバーは、長手方向に延びた複数の線状部を備え、前記長手方向に直交する断面において、上下方向の厚みが略中央部に向かうにつれて増えるように形成するとともに前記複数の線状部の上面が略円弧状の曲線に沿うように構成する
ことを特徴とする加熱調理器。
【請求項２】
上部が開口した箱状の本体ケースと、
前記本体ケースの上部開口を覆い、被加熱物を載置可能な天板部と、
前記天板部の下方に配設された加熱手段と、
前記本体ケース内に配設されたグリル加熱室と、
前記天板部に設けられ、前記グリル加熱室の排気口と連通する第２の開口部と、
前記第２の開口部を覆う通気カバーを備えた加熱調理器において、
前記通気カバーは、長手方向に延びた複数の線状部を備え、前記長手方向に直交する断面において、上下方向の厚みが略中央部に向かうにつれて増えるように形成するとともに前記複数の線状部の上面が略円弧状の曲線に沿うように構成する
ことを特徴とする加熱調理器。
【請求項３】
通気カバーは、アルミニウム材よりなる
ことを特徴とする請求項１または請求項２に記載の加熱調理器。
【請求項４】
通気カバーにアルマイト処理を施した
ことを特徴とする請求項３に記載の加熱調理器。
【請求項５】
同一形状の通気カバーを複数個備えた
ことを特徴とする請求項１〜請求項４のいずれかに記載の加熱調理器。
【発明の詳細な説明】
【技術分野】
【０００１】
本発明は、加熱調理器の本体内の部品を冷却する空気を吸排気するための開口部や、グリル加熱室の排気口に連通する開口部を天板部に設け、この開口部を覆うカバーを備えた加熱調理器に関する。
【背景技術】
【０００２】
従来、この種の加熱調理器は、本体の上部はトッププレートで覆われ、トッププレートには被加熱物載置部が設けられ、本体ケース内には加熱手段と、この加熱手段を駆動する制御基板と、加熱手段と制御基板を冷却するための風路と、風路に冷却風を供給する冷却ファンと、ヒータによる魚等の焼き物を行うグリル加熱室と、このグリル加熱室からの排気を行うダクトを備えている。
【０００３】
本体背面側には冷却用に外部の空気を吸気する吸気口と、冷却後の空気を排気する排気口、及びグリル加熱室からの排気を行う排気口を備え、本体前面には操作部が備えられている。
【０００４】
吸気口と排気口には調理物が内部に落ちないように着脱可能な通気カバーで覆われている。グリル加熱室からの排気口近傍は、高温となりさらに魚等の排煙により著しく汚れてしまうため、その材質はホーロー鋼板を用いることが多く、通気カバーの通気孔の形状は鉄ホーロー材の特性上加工が容易な丸孔とすることが一般的である。
【０００５】
そして、冷却空気は本体の背面側の吸気口から通気カバーの通気孔を介して吸気され、冷却ファンに供給され、冷却ファンによって制御基板や加熱手段を冷却する冷却空気となって流れ、制御基板と加熱手段を冷却した空気は、排気として本体の背面に位置する排気口へ向かい、排気口から通気カバーの通気孔を通過する排気となって流れ出ていく。また、グリル加熱室で調理を行った際に発生する水蒸気や油煙は排気ダクトを通って排気口から同じく通気カバーの丸孔の通気孔を通して排気される（例えば、特許文献１参照）。
【０００６】
通気カバーの通気孔の形状を丸孔に代えて矩形状とし、単位面積当たりの開口率（ある面積に対する流路面積の比）を改善するとともに、通気カバーの材質をホーロー鋼板よりも熱容量が小さく熱伝導性の良好なアルミとして、ロースター部で調理を行なった際の水滴によるカビの発生や油煙による汚れの付着を抑制するものがある（例えば、特許文献２参照）。
【０００７】
板金に孔開け加工を施して形成され、上面が平面で、位置決めのために上下非対称な構造の通気カバーに代えて、上下左右に対称の部材により形成される構成とし、通気カバー上に鍋などが載置されにくいようにし、載置されたとしても通気口が閉塞されにくいようにするために、通気カバーの中央付近に１枚の閉塞防止壁を突出して設けた構成が開示されている（例えば、特許文献３参照）。
【先行技術文献】
【特許文献】
【０００８】
【特許文献１】特開２００８−１５２９８２号公報（第３〜５頁、第８図）
【特許文献２】特開２０１０−４０４０２号公報（第３〜５頁、第３図）
【特許文献３】特開２００９−３０１９９０号公報（第６〜７頁、第８図）
【発明の概要】
【発明が解決しようとする課題】
【０００９】
しかしながら、前記特許文献１、２に記載のような従来の構成では、通気カバーは鋼板１枚程度の強度しか確保できず、かつ通気孔が開くことでさらに強度が低下するという問題を有していた。
【００１０】
また、板厚を厚くすることで強度を高めることができる。しかし、通気カバー周縁に位置決め用の外周壁を有しており、板厚を厚くすることに伴い外周壁の厚みも厚くなる。そして、通気カバーにおいて吸排気に必要な所定の開口面積を確保しようとすると、外周壁の厚みが厚くなることにより通気カバーの外周も大きくなることになる。その結果、加熱調理器の上面における通気カバーの占める面積の割合が大きく、通気カバーが大きく目立ってしまい、デザイン的に芳しくないという問題を有していた。
【００１１】
また、板厚を厚くすることで、通気孔の孔あけ加工や、通気カバー周縁の位置決め用の外周壁の絞り加工がし難くなるという問題を有していた。
【００１２】
また、通気カバーの中央付近に１枚の閉塞防止壁を突出して設けた構成では、鍋の一部が通気カバーに載置されたとき、鍋底面が平面の場合には鍋底面と閉塞防止壁の上面とが１本の細い帯状に、または鍋底面と閉鎖防止壁の上面の一方の稜線と１本の線状に接触する。鍋底面が反っている場合には鍋底面と閉塞防止壁とが１点または２点で接触する。その結果、鍋が前後左右の横ズレ移動をするのに伴って鍋底面と閉塞防止壁とが擦れあい、鍋底面が傷つきやすいという問題があった。さらに、概ね平面状に構成される通気カバーの上面において突出する閉塞防止壁が目だってしまい、通気カバーの外観が悪く、加熱調理器上面の平面状に形成される天板と通気カバーとの調和感も悪いという問題があった。
【００１３】
本発明は、かかる課題を解決するもので、通気カバーの強度を確保しつつ、加熱調理器における通気カバーの外観がよくて加熱調理器上面の平面状に形成される天板と通気カバーとの調和感を損なわず、さらに、鍋が載置されるときに鍋底が傷つきにくい加熱調理器を提供することを目的とする。
【課題を解決するための手段】
【００１４】
本発明に係る加熱調理器は、上部が開口した箱状の本体ケースと、前記本体ケースの上部開口を覆い、被加熱物を載置可能な天板部と、前記天板部の下方に配設された加熱手段と、前記天板部に設けられ、前記本体ケース内の部品を冷却するための冷却風を吸込みあるいは排出する第１の開口部と、前記第１の開口部を覆う通気カバーを備えた加熱調理器において、前記通気カバーは、長手方向に延びた複数の線状部を備え、前記長手方向に直交する断面において、上下方向の厚みが略中央部に向かうにつれて増えるように形成するとともに前記複数の線状部の上面が略円弧状の曲線に沿うように構成するものである。
【発明の効果】
【００１５】
本発明の加熱調理器は、通気カバーの長手方向に直交する断面の略中央部で上下方向の厚みが最大となるように形成したので、必要な強度を容易に確保することができる。また、前記断面において複数の線状部の上面が略円弧状の曲線に沿うように構成したので、通気カバーの上面における複数の線状部の突出が目立たず、加熱調理器上面の天板部と通気カバーとの調和感を損なわない。さらに、鍋の一部が通気カバーに載置される場合に、鍋底面が略円弧状の曲線に沿った複数の線状部の上面に接触するので、鍋底面は複数の線状部の上面を滑りやすく、通気カバーが鍋の鍋底を傷つけることを抑制できる。
【図面の簡単な説明】
【００１６】
【図１】実施の形態１における加熱調理器の斜視図である。
【図２】実施の形態１における加熱調理器の吸排気口カバーを取り外した状態を示す斜視図である。
【図３】実施の形態１における加熱調理器の天板部を取り外した一部を分解して内部構造を示す斜視図である。
【図４】実施の形態１における通気カバーの保持部材を説明する斜視図である。
【図５】図４のＡ−Ａ線における通気カバーを載置した状態を示す断面図である。
【図６】実施の形態１における加熱調理器の通気カバーの斜視図である。
【図７】図６のＢ−Ｂ線における通気カバーの断面図である。
【図８】鍋の一部が載置されたときの図７の通気カバーの断面図である。
【図９】実施の形態２における通気カバーの断面図である。
【発明を実施するための形態】
【００１７】
実施の形態１．
本実施の形態１では、いわゆるビルトイン式の加熱調理器を例に説明する。図１は実施の形態１に係る加熱調理器の斜視図、図２は加熱調理器の通気カバーを取り外した状態を示す斜視図、図３は天板部２０を取り外した加熱調理器の一部を分解して内部構造を示す斜視図である。
【００１８】
[加熱調理器の全体構成]
図１〜図３を参照して本実施の形態１に係る加熱調理器の全体構成を説明する。
加熱調理器１００は、上面を開口したほぼ直方体の本体ケース１０と、本体ケース１０の上面開口を覆う天板部２０と、天板部２０に載置された鍋などの被加熱物を加熱する加熱コイルユニット３０と、使用者による操作を受け付けるとともに加熱条件や動作状態を表示する操作表示部４０と、操作表示部４０からの信号を受けて加熱コイルユニット３０による加熱動作を制御する制御回路を備えた制御基板１３とを備える。
【００１９】
天板部２０は、上枠２１と、トッププレート２２という２つの大きな部品から構成されている。上枠２１は、全体が非磁性ステンレス板又はアルミ板などの金属製板によって額縁状に形成され、本体ケース１０の上面開口を塞ぐような大きさを有している。
【００２０】
トッププレート２２は、額縁形状の上枠２１の中央に設けられた大きな開口部を隙間なく覆うように本体ケース１０の上方に重ね合わせて設置されている。このトッププレート２２は、全体が耐熱強化ガラスや結晶化ガラス等の赤外線を透過させる半透明な材料からなり、上枠２１の開口部の形状に合わせて長方形又は正方形に形成されている。さらにトッププレート２２の前後左右側縁は、上枠２１の開口部との間にゴム製パッキンやシール材（図示せず）を介在させて水密状態に固定されている。このように、上枠２１とトッププレート２２との対面部分に形成される間隙はゴム製パッキンやシール材（図示せず）により塞がれているため、トッププレート２２の上面から本体ケース１０の内部に水滴などが浸入しないようになっている。
【００２１】
上枠２１には、左通風口２３ａ、中央通風口２３ｂ、右通風口２３ｃ（以下、通風口２３と総称する場合がある）が形成されている。通風口２３は、上枠２１を形成する際にプレス機械で同時に打ち抜き形成されている。左通風口２３ａ、右通風口２３ｃは、後述するように、本体ケース１０内の部品を冷却するための冷却風を吸込む第１の開口部に相当する。また、中央通風口２３ｂの一部も、左通風口２３ａ、右通風口２３ｃより吸い込まれ、本体ケース１０内の部品を冷却した後の冷却風を排出する第１の開口部に相当する。
【００２２】
左通風口２３ａ、中央通風口２３ｂ、右通風口２３ｃの上には、これら３つの上方全体を覆うようにして、２枚の通気カバー２５が着脱自在に載置されている。
通気カバー２５はアルミニウム材よりなり、平面視ほぼ矩形状で、長手方向に延びた複数の線状部を備える。ここで、長手方向とは、図１においては通気カバー２５の平面視における左右方向を示す。通気カバー２５は長手方向に直交する断面の上面が略円弧状の曲面形状になっており（後述する）、スリット状に平行に複数の連通孔２５ｂ（図５、図６参照）が形成されている。上方から使用者の指や異物が通風口２３に入らないようにするためのものである。
【００２３】
この２枚の通気カバー２５は、長手方向に並べられ、加熱調理器１００の中央側に位置する端部２５ｃ同士を突き合わせて配置されている。２枚の通気カバー２５の端部が突き合わされる位置は、中央通風口２３ｂの開口部の上方である。なお、ここで「突き合わせる」とは、端部２５ｃ同士が厳密に密着している必要はないが、通風口２３の開口部に使用者の指や異物が入り込まない程度に両者が近づいている状態をいう。
また、通気カバー２５の端部２５ｃを除く上面２５ａ（図５、図６、図７参照）の外周には、下方向に折り曲げ加工された外周縁２５ｄ（図５参照）が形成されている。通気カバー２５を上枠２１に取り付けたとき、この外周縁２５ｄが保持部材６１、６２、６３（後述する）の外周側に接し、通気カバー２５を位置決めする。
【００２４】
本体ケース１０の内部には、トッププレート２２に載置される金属製鍋等の被加熱物Ｎを誘導加熱するための加熱手段である加熱コイル３１と、加熱コイル３１を載置するコイルベース３２とを備えた加熱コイルユニット３０が搭載されている。
加熱コイル３１は、トッププレート２２の下面側との間に微小間隙をおいて近接して配置された誘導加熱源である。加熱コイル３１は、渦巻状に０．１ｍｍ程度の細い線を３０本程束にして、この束（以下、集合線という）を１本又は複数本撚りながら巻き、外形形状が円形になるようにして最終的に円盤形に成形されている。加熱コイル３１に高周波電流を発生させると、この高周波電流がもたらす電磁誘導作用によりトッププレート２２上に載置された鍋等の被加熱物に渦電流が発生し、この被加熱物Ｎに生じた渦電流がジュール熱となって被加熱物が発熱する。
【００２５】
コイルベース３２は、加熱コイル３１を保持するための部材である。コイルベース３２は、加熱コイル３１から発生した磁力線が下側に流れるのを防止するためのフェライトや、被加熱物の温度を検出するための温度センサを設けておくのが望ましい。
【００２６】
なお、図３では加熱コイルユニット３０を１つ記載しているが、本実施の形態１では、同様の構成の加熱コイルユニットを左右に２つ配置して二口の加熱口を設けている。このような誘導加熱源のほか、例えばラジエントヒータと呼ばれて電気輻射熱で加熱する輻射式電気加熱源を設けてもよい。
【００２７】
本体ケース１０の内部には、箱形のグリル加熱室１１と、左側面側及び右側面側に前後方向に亘って設けられた冷却室１２とが区画形成されている。
グリル加熱室１１の前面開口は、本体ケース１０の前面側に設けられたドア１１ａにより開閉自在に覆われていて、このドア１１ａは使用者の操作によって前後方向に移動自在になるよう、レールやコロ等の支持機構（図示せず）によってグリル加熱室１１に保持されている。グリル加熱室１１の内部には、例えばシーズヒータなどの輻射式電気加熱源（図示せず）を備えている。グリル加熱室１１の後部には排気ダクト１８が設けられていて、この排気ダクト１８により、グリル加熱室１１内の空気を加熱調理器１００の外部に排気可能となっている。天板部２０を本体ケース１０に載置したとき、排気ダクト１８の排気口１８ａは、上枠２１に設けられた中央通風口２３ｂの下方に位置し、排気口１８ａは中央通風口２３ｂと連通する。この排気口１８ａと連通する部分である中央通風口２３ｂの一部は本発明の第２の開口部に相当する。
【００２８】
左側面側及び右側側面の冷却室１２には、それぞれ加熱調理器１００の全体的な制御を行う制御基板１３等の部品を収容した部品ケース１４と、ファンケース１５とが収容されている。
ファンケース１５内には、例えばシロッコファンなどのファン１６を備えていて、ファン１６の駆動により、左側面側の冷却室については、第１の開口である左通風口２３ａを経由してファンケース１５の上部に開口した吸込口１５ａから吸い込まれた空気が、吹出口１５ｂから冷却風として吹き出されるようになっている。同様に、右側面側の冷却室については、ファン１６の駆動により第１の開口である右通風口２３ｃを経由して右側ファンケースの上部に開口した吸込口から吸い込まれた空気が、右側ファンケースの吹出口から冷却風として吹き出されるようになっている。
【００２９】
部品ケース１４は、ファンケース１５の吹出口１５ｂから吹き出される冷却風を内部に導入するための導入口１４ａと、部品ケース１４内に導入された冷却風を吹き出すための二つの吹出口１４ｂを備えている。天板部２０を本体ケース１０に載置したとき、部品ケース１４の導入口１４ａは、上枠２１に設けられた左通風口２３ａ又は右通風口２３ｃの下方に位置する。
【００３０】
部品ケース１４の上方であって加熱コイルユニット３０の下方には、プラスチック等で構成された冷却ダクト１７が設けられている。冷却ダクト１７には、上面を貫通する複数の噴出口１７ａが形成されている。
【００３１】
複数の噴出口１７ａから噴出された冷却風は、冷却ダクト１７の上方に配置される加熱コイルユニット３０の加熱コイル３１やコイルベース３２を冷却し、排気ダクト１８の外側から中央通風口２３ｂを経由して本体ケース１０外へ排気される。また、冷却ダクト１７から排気された冷却風の一部は、グリル加熱室１１の外壁を冷却した後、排気ダクト１８の外側から中央通風口２３ｂを経由して本体ケース１０外へ排気される。これらの冷却風が本体ケース１０外へ排気される部分の中央通風口２３ｂが第１の開口に相当する。
【００３２】
次に、中央通風口２３ｂ、通気カバー２５の保持部材、及び通気カバー２５の取り付け構造について説明する。
図４は、実施の形態１に係る通気カバー２５の保持部材を説明する斜視図であり、主要部のみ示している。図５は、図４のＡ−Ａ線における通気カバー２５を載置した状態の断面図である。
以下、図２、図４、図５を参照して、中央通風口２３ｂ、通気カバー２５、及び保持部材６１、６２、６３の構成を説明する。
【００３３】
保持部材６１、６２、６３は、例えばゴムなどの防振性材料で構成され、通風口２３の上方に載置される通気カバー２５を位置決めして保持するための部材である。
保持部材６１は、上枠２１に取り付けられていてる。保持部材６１は、中央通風口２３ｂの左右方向ほぼ中央であって、中央通風口２３ｂの奥側に配置されている。
保持部材６２は、中央通風口２３ｂの開口部の周縁に延長して設けられた取付台２６に取り付けられている。保持部材６１と保持部材６２は、中央通風口２３ｂの開口部を挟んで対向する位置に取り付けられている。
保持部材６３は、左通風口２３ａの左側と右通風口２３ｃの右側の上枠２１上に取り付けられている。
【００３４】
図５に示すように、取付台２６は、中央通風口２３ｂの左右方向ほぼ中央に位置する周縁の一部を略水平方向に延長して形成された延長部２６ａと、この延長部２６ａの延長方向先端を下方に向かって折り曲げて形成された折曲部２６ｂとを備えている。折曲部２６ｂは、略直角程度以下の角度に折り曲げられていて、さらに、垂直断面から見てやや丸みを帯びた形状を有している。このような折曲部２６ｂにより、通気カバー２５を取り外した状態で使用者が中央通風口２３ｂに手を入れた場合でも、中央通風口２３ｂの板金のエッジから使用者の手を保護するようになっている。
【００３５】
この取付台２６は、保持部材６２を取り付けるためのスペースを上枠２１に増設するために設けられたものである。例えば、上枠２１や中央通風口２３ｂの大きさの制約上、保持部材６１や保持部材６２を取り付けるためのスペースを上枠２１の平面部に設けることができない場合がある。そこで、中央通風口２３ｂの開口部内側に向かって延びる取付台２６を設け、この取付台２６に保持部材６２を取り付けている。このようにすることで、中央通風口２３ｂの手前側（中央通風口２３ｂとトッププレート２２との間）に保持部材６２を載置するためのスペースを設ける必要がなくなり、上枠２１の面積を小さくすることができる。なお、本実施の形態１では中央通風口２３ｂの手前側に取付台２６を設けた例を説明したが、中央通風口２３ｂの奥側に取付台を設けてもよい。
【００３６】
さらに、保持部材６２は、上面がほぼ水平の保持部６２ａと、保持部６２ａに連なって形成されていて下方に向かって延びるスカート部６２ｂとを備えている（図５参照）。保持部材６２は、図５に示す断面においてほぼ鉤型に形成されている。そして、スカート部６２ｂの下端は、取付台２６の折曲部２６ｂの下端よりも下側に位置している。スカート部６２ｂは、取付台２６の折曲部２６ｂの外周側を覆っている。このようなスカート部６２ｂを設けたことにより、通気カバー２５を取り外した状態で使用者が中央通風口２３ｂに手を入れた場合でも、使用者の手が取付台２６の折曲部２６ｂに触れることがない。このため、中央通風口２３ｂの板金のエッジから使用者の手をさらに保護することができる。
【００３７】
このように構成された保持部材６１、６２、６３により、平面視矩形状の２つの通気カバー２５のそれぞれの四隅が保持され、通気カバー２５が位置規制される。
【００３８】
次に、通気カバー２５の構造について説明する。
図６は、通気カバー２５の斜視図である。また、図７は、図６のＢ−Ｂ線における通気カバー２５の断面図である。また、図８は、図７の通気カバー断面図において鍋の一部が載置された場合の様子を示すものである。
【００３９】
図６に示すように、通気カバー２５は、平面視ほぼ矩形上で、長手方向（図６では右下から左上方向）に延びた複数の線状部２５ｅを備える。複数の線状部２５ｅの間には、スリット状に複数の連通孔２５ｂが設けられている。通気カバー２５はアルミニウム材で構成し、端部２５ｃの断面内の輪郭の形状を型取った金型を用いて、押し出し加工により製造する。その後、プレス加工により複数の連通孔２５ｂを形成する。長手方向に隣接する連通孔２５ｂの間には、プレス加工の結果として、長手方向に直交する方向に４本の並行な梁部２５ｆが形成される。通気カバー２５の長手方向の寸法は、天板部２０のサイズが標準タイプの場合で２７０ｍｍ程度、幅広タイプの場合で３５０ｍｍ程度となっている。長手方向に直交する方向の寸法は、幅広タイプ、標準タイプともに４５ｍｍ程度となっており、図１に示すように、天板部２０のほぼ前幅にわたり、同じサイズの通気カバー２５を２個用いて、左通風口２３ａ、中央通風口２５ｂ、右通通口２５ｃを含め、その上部を、着脱自在に覆うことができる。
【００４０】
天板部２０のほぼ全幅を、１枚の通気カバーで覆う場合と比較し、半分のサイズの通気カバー２５を２枚用いて覆うことにより、１枚の通気カバーの長手方向の長さが短くなり、押し出し加工時に通気カバーの長手方向での平面度を確保しやすい。また、通気カバーを同じサイズで左右方向に対称、前後方向にも対称に形成すれば、通気カバーを、左右逆に配置しても、また、左右方向に回転して配置しても、通気カバーの外周縁２５ｄが保持部材６１、６２、６３の外周側に接することになり、通気カバーの方向や配置を気にすることなく、位置決めが容易になる。
【００４１】
図７に示すように、通気カバー２５の長手方向に直交する断面形状は、複数の線状部２５ｅの上下方向の厚みが略中央部で最大となるように形成される。略中央部での最厚部の厚みは５ｍｍ程度である。また、上記断面形状において、複数の線状部２５ｅの上面が略円弧状の曲線２５ｇに沿うような形状になっている。実施の形態１では、通気カバー２５の長手方向に直交する断面内の複数の線状部２５ｅの上面が、それぞれ同じＲの円弧の一部となっている。通気カバー２５はアルミニウム材の押し出し加工により製造されるので、容易に、複数の線状部２５ｅの上面を円弧の一部に形成することができる。
【００４２】
図８に示すように、鍋７０の一部が通気カバー２５の上に載置された場合、鍋底の形状にもよるが、通気カバー２５の上面の最も高い位置付近に鍋７０の鍋底が接触し、この点に略下方向の荷重がかかる。通気カバー２５の長手方向に直交する断面は、複数の線状部２５ｅの上下方向の厚みが略中央部で最大となるように形成されるので、鍋７０の荷重は最も厚みの大きい線状部２５ｅに加わる。この荷重により線状部２５ｅが弾性変形を生じ、鍋底と線状部２５ｅとの接触箇所に最も近い位置の梁部２５ｆに荷重が加わる。この荷重は、この梁部２５ｆを介して、この梁部２５ｆに接続される複数の線状部２５ｅに分散して加わることになる。
【００４３】
このように、通気カバー２５の長手方向に直交する断面において、複数の線状部２５ｅの上下方向の厚みが略中央部で最大となるように形成してあるので、この線状部２５ｅの剛性が高まり、弾性変形の量が小さくなる。その結果、鍋底と線状部２５ｅとの接触箇所に最も近い位置の梁部２５ｆに加わる荷重が小さくなる。したがって、通気カバーの必要な強度を容易に確保することができる。なお、梁部２５ｆの上下方向の厚みも大きくした方が、通気カバー２５の強度をより確保しやすくできる。
【００４４】
ここで、左通風口２３ａ、右通風口２３ｃを通過する冷却風の吸気流や、中央通風口２３ｂを通過する排気流は、通気カバー２５ｆの連通孔２５ｂの開口におおむね直交する方向に流れる。したがって、吸気カバー２５複数の線状部２５ｅや梁部２５ｆの上下方向の厚みを大きくしても、通気カバー２５ｆの連通孔２５ｂの開口面積は変わらず、冷却風などの吸排気流に対する圧損が劣化することはない。
【００４５】
また、鍋７０の一部が通気カバー２５に載置される場合に、鍋底面が略円弧状の曲線２５ｇに沿った複数の線状部２５ｅの上面に接触するので、鍋底面は複数の線状部２５ｅの上面を滑りやすく、通気カバー２５が鍋底を傷つけることを抑制できる。なお、前記断面において複数の線状部の上面の左右の稜線の角を丸めるように形成すれば、鍋底の傷つけを一層抑制できる。
【００４６】
また、前記断面において複数の線状部の上面が略円弧状の曲線に沿うように構成したので、通気カバーの上面における複数の線状部の突出が目立たず、加熱調理器上面の天板部と通気カバーとの調和感を損なわない。円弧の半径Ｒは、１００ｍｍ以上が望ましい。しかし、半径Ｒを大きくすると、通気カバー２５の上面全体が平面に近い扁平な形状となる。そして、通気カバー２５のの長手方向に直交する方向の断面の略中央部の厚みを大きくすると、それにしたがって通気カバー２５全体の厚みも大きくなる。その結果、天板部２０に対し通気カバー２５の上面全体が突出し、天板部と通気カバーとの調和感を損なうことになる。また、通気カバー２５の上面を天板部２０の上面とほぼ同じ高さになるようにするには、通気カバー２５の底面が低くなるように保持部材６１、６２、６２ａの高さを低くする必要がある。一方、円弧の半径Ｒが小さいと、通気カバー２５の上面における複数の線状部２５ｅの突出が目立ち、加熱調理器上面の天板部２０と通気カバーとの調和感を損なう。実施の形態１における円弧の半径Ｒとしては、１５０ｍｍ程度が好適である。
【００４７】
また、図８に示すように、通気カバー２５上に鍋７０などを置かれた場合でも、鍋７０底面と通気カバー２５の上面とは、両者が接触する部分を除いて隙間が形成される。したがって、左通風口２３ａ、中央通風口２３ｂ、右通風口２３ｃが閉塞されにくく、吸排気が妨げられるのを抑えることができるため、吸排気量の減少による本体内部の過熱を防ぐことができる。
【００４８】
さらに、この通気カバー２５は、グリル加熱室１１からの高温の排気により高温となり、さらに魚等の排煙などにより著しく汚れてしまうため、通気カバー２５にアルマイト処理を施すことにより耐熱性を上げ、かつ汚れの目立たない色に構成することが可能となる。
【００４９】
実施の形態２．
実施の形態１の通気カバー２５は、通気カバー２５の長手方向に直交する断面内の複数の線状部２５ｅの上面が、それぞれ同じＲの円弧の一部となるように構成した。実施の形態２では、図９に示すように、通気カバー２５の長手方向に直交する断面内の複数の線状部２５ｅの上面の左右の稜線の少なくとも一方が、略円弧状の曲線２５ｇに沿うように配置している。すなわち、図９において、略中央部の線状部２５ｅについては両側、略中央部から左側の２つの線状部２５ｅについては左側（略中央部から左端側）の稜線、略中央部から右側の２つの線状部２５ｅについては右側（略中央部から右端側）の稜線が、同じＲの円弧上に配置されている。
【００５０】
実施の形態２における通気カバー２５についても、実施の形態１の場合と同様に、通気カバー２５の長手方向に直交する断面において、複数の線状部２５ｅの上下方向の厚みが略中央部で最大となるように形成してあるので、この線状部２５ｅの剛性が高まり、弾性変形の量が小さくなる。その結果、鍋底と線状部２５ｅとの接触箇所に最も近い位置の梁部２５ｆに加わる荷重が小さくなる。したがって、通気カバーの必要な強度を容易に確保することができる。
【００５１】
また、鍋７０の一部が通気カバー２５に載置される場合に、鍋底面が略円弧状の曲線２５ｇに沿った複数の線状部２５ｅの上面に接触するので、鍋底面は複数の線状部２５ｅの上面を滑りやすく、通気カバー２５が鍋の鍋底を傷つけることを抑制できる。
【００５２】
また、前記断面において複数の線状部の上面が略円弧状の曲線に沿うように構成したので、通気カバーの上面における複数の線状部の突出が目立たず、加熱調理器上面の天板部と通気カバーとの調和感を損なわない。
【００５３】
また、通気カバー２５上に鍋７０などを置かれた場合でも、鍋７０底面と通気カバー２５の上面とは、両者が接触する部分を除いて隙間が形成されるので、左通風口２３ａ、中央通風口２３ｂ、右通風口２３ｃが閉塞されにくく、吸排気が妨げられるのを抑えることができるため、吸排気量の減少による本体内部の過熱を防ぐことができる。
【符号の説明】
【００５４】
１０  本体ケース、１１  グリル加熱室、１１ａ  ドア、１２  冷却室、１３  制御基板、１４  部品ケース、１４ａ  導入口、１４ｂ  吹出口、１５  ファンケース、１５ａ  吸込口、１５ｂ  吹出口、１６  ファン、１７  冷却ダクト、１７ａ  噴出口、１８  排気ダクト、１８ａ  排気口、２０  天板部、２１  上枠、２２  トッププレート、２３  通風口、２３ａ  左通風口（第１の開口）、２３ｂ  中央通風口（第１の開口、第２の開口部）、２３ｃ  右通風口（第１の開口）、２５  通気カバー、２５ａ  上面、２５ｂ  連通孔、２５ｃ  端部、２５ｄ  外周縁、２５ｅ  線状部、２５ｆ  梁部、２５ｇ  曲線、２６  取付台、２６ａ  延長部、２６ｂ  折曲部、３０  加熱コイルユニット、３１  加熱コイル（加熱手段）、３２  コイルベース、４０  操作表示部、６１  保持部材、６２  保持部材、６２ａ  保持部、６２ｂ  スカート部、６３  保持部材、７０  鍋、１００  加熱調理器。
【図１】
0005542540.tif 000002
【図２】
0005542540.tif 000003
【図３】
0005542540.tif 000004
【図４】
0005542540.tif 000005
【図５】
0005542540.tif 000006
【図６】
0005542540.tif 000007
【図７】
0005542540.tif 000008
【図８】
0005542540.tif 000009
【図９】
0005542540.tif 000010